(57)【要約】【課題】適切な大きさを有し、且つ、鏡像で確認しながら所望の撮影画像が容易に得られる撮影装置を提供すること。【解決手段】被写体を撮影する撮影レンズ（１２）を含む撮影手段と、  前記撮影レンズ（１２）の入射側に配置され、前記被写体からの入射光を反射する反射鏡（１１）と、を備えた撮影装置であって、  前記反射鏡（１１）は、上下左右の四辺から構成される凸面鏡であって、当該凸面鏡の上下の二辺と左右の二辺は、当該凸面鏡に写る前記被写体の鏡像の歪に対応する曲線で構成され、所望の視野率となる範囲の画像を過不足無く反射鏡に映し出すことができるようにした。【選択図】図７
2016038494.tif 000002
【特許請求の範囲】
【請求項１】
被写体を撮影する撮影レンズを含む撮影手段と、
前記撮影レンズの入射側に配置され、前記被写体からの入射光を反射する反射鏡と、を備えた撮影装置であって、
前記反射鏡は、上下左右の四辺から構成される凸面鏡であって、当該凸面鏡の上下の二辺と左右の二辺は、当該凸面鏡に写る前記被写体の鏡像の歪に対応する曲線で構成されていることを特徴とする撮影装置。
【請求項２】
前記反射鏡は、上下左右の四辺から構成される凸面鏡であって、当該凸面鏡の上下の二辺と左右の二辺は、当該凸面鏡に写る前記被写体の鏡像の歪と相似な曲線で構成されていることを特徴とする請求項１に記載の撮影装置。
【請求項３】
前記反射鏡は、前記撮影レンズの前面に配置され、前記被写体からの入射光を前記撮影レンズに透過させる透光部を有することを特徴とする請求項１又は２に記載の撮影装置。
【請求項４】
前記透光部は、所定の透過率と反射率を有するハーフミラーであることを特徴とする請求項３に記載の撮影装置。
【請求項５】
前記反射鏡は、所定の透過率と反射率を有するハーフミラーであることを特徴とする請求項３又は４に記載の撮影装置。
【請求項６】
前記反射鏡は、前記撮影レンズ側の面である裏面の反射率が、当該裏面とは反対の面である表面の反射率より小さいハーフミラーであることを特徴とする請求項５に記載の撮影装置。
【発明の詳細な説明】
【技術分野】
【０００１】
本発明は、撮影装置に関し、さらに詳しくは、撮影者自身の画像を反射鏡で確認しながら撮影することが可能な撮影装置に係わる。
【背景技術】
【０００２】
従来、この種の撮影装置として、被写体としての撮影者側からの一部の光を撮影者に向かって反射させ残りの光を透過させるハーフミラー（反射鏡）と、このハーフミラーを透過する光を受光する固体撮像素子と、この固体撮像素子の受光面内に被写体の光学的像が収まるように、ハーフミラーを透過する光を収束させる光収束手段（撮影レンズ）と、固体撮像素子の受光面に生じる光学的像を電気的画像を表す画像データとして格納する記憶手段とを備えた撮影装置が知られている（例えば、特許文献１参照）。
【０００３】
この撮影装置によれば、ハーフミラーに撮影者自身の画像を映し出し、リアルタイムで確認しながら好ましい撮影者自身の撮影が可能となる。しかしながら、この撮影装置のハーフミラーは画角の小さい平面鏡となっているため、ハーフミラーの画角を撮影レンズの画角に近付けるためには大きなハーフミラーが必要となる。
【０００４】
一方、この種の撮影装置として、内部部材を前側から被覆する前カバーにおける、少なくとも撮影レンズへ入射する入射光のための開口部を除いた前面の略全体を凸面鏡（反射鏡）に形成したレンズ付きフィルムユニット（撮影装置）が知られている（例えば、特許文献２参照）。
この撮影装置によれば、凸面鏡の画角は平面鏡の画角に比べて大きいので、平面鏡の場合と比較して、小型の反射鏡で済むという利点がある。
【先行技術文献】
【特許文献】
【０００５】
【特許文献１】特開２０００−２７８５６７号公報
【特許文献２】特開平１１−３２７００３号公報
【発明の概要】
【発明が解決しようとする課題】
【０００６】
撮影者自身の画像を反射鏡で確認しながら撮影する場合、反射鏡に映し出される画像（鏡像）の構図と撮影画像との構図が近似していることが好ましい。
しかし、上記特許文献２に記載のように凸面鏡を反射鏡とするものでは、凸面鏡に映し出される画像が歪むため、下記のような問題があった。
すなわち、凸面鏡が小さいと鏡像にない画像部分が撮影画像に入り込み、反対に、凸面鏡が大きいと撮影画像とならない不要な部分が鏡像として映し出されたりし、平面鏡の場合と比べて、反射鏡に映し出される画像と撮影画像との構図が大きくかけ離れるという問題があった。その結果、鏡像で確認しながら撮影しても、所望の撮影画像が得られにくいという問題があった。
【０００７】
本発明は、かかる事情に鑑みてなされたものであり、適切な大きさを有し、且つ、鏡像で確認しながら所望の撮影画像が容易に得られる撮影装置を提供することを目的とする。
【課題を解決するための手段】
【０００８】
本発明の撮影装置は、
被写体を撮影する撮影レンズを含む撮影手段と、
前記撮影レンズの入射側に配置され、前記被写体からの入射光を反射する反射鏡と、を備えた撮影装置であって、
前記反射鏡は、上下左右の四辺から構成される凸面鏡であって、当該凸面鏡の上下の二辺と左右の二辺は、当該凸面鏡に写る前記被写体の鏡像の歪に対応する曲線で構成されていることを特徴とする。
【発明の効果】
【０００９】
本発明の撮影装置によれば、反射鏡を、上下左右の四辺から構成される凸面鏡であって、当該凸面鏡の上下の二辺と左右の二辺を、当該凸面鏡に写る被写体の鏡像の歪に対応する曲線で構成しているので、所望の視野率となる範囲の画像を過不足無く反射鏡に映し出すことができる。その結果、適切な大きさを有し、且つ、鏡像で確認しながら所望の撮影画像が容易に得られる撮影装置が実現できる。
【図面の簡単な説明】
【００１０】
【図１】本発明の実施形態に係る撮影装置の前面下方から見た斜視図である。
【図２】図１の撮影装置の上面図である。
【図３】図１の撮影装置の右側面図である。
【図４】図１の撮影装置を上面側から見た断面図である。
【図５】反射鏡が平面鏡である場合の撮影画像と鏡像との関係を示す図である。
【図６】反射鏡が凸面鏡である場合の撮影画像と鏡像との関係を示す図である。
【図７】反射鏡が凸面である場合の適切な反射鏡の形状を説明するための図である。
【図８】反射鏡の断面図である。
【図９】図１の撮影装置の接地の態様（その１）を示した図である。
【図１０】図１の撮影装置の接地の態様（その２）を示した図である。
【発明を実施するための形態】
【００１１】
以下、本発明の一実施形態を、図１〜図１０を参照して説明する。なお、以下の説明及び図においては、同一の要素には同一の符号を付し、重複する説明を省略する。
【００１２】
《実施形態》
［構成］
図１には、実施形態に係る撮影装置１０の外観が示されている。この図１に示される撮影装置１０は全体が略箱形状に形成されている。この撮影装置１０は、前面視で、左右の各端部中央が少しばかり山形又は弧状に外方に膨らんではいるが、全体として略長方形となっている。
なお、本明細書において、前後、上下及び左右の各方向は図１の矢印で示した方向とする。
【００１３】
この撮影装置１０の前面中央には反射鏡１１が設けられている。この反射鏡１１は、前面視で、左右の各端部中央が少しばかり樽状（図７参照）に膨らんではいるが、全体として略長方形となっている。具体的には、反射鏡１１は、上下の二辺と左右の二辺は外方に向けて弧状に膨らんでいる。この反射鏡１１は、上下対称及び左右対称に形成されている。
この反射鏡１１は、撮影装置１０の上下の突起部１３０ａ，１３０ａで挟まれる領域で上下方向に拡がるとともに、左右方向が撮影装置１０の幅方向の約６割程度を占めるように拡がって設けられている。
【００１４】
この反射鏡１１は所定の球Ｒを有している。そして、この反射鏡１１は、図２に示すように上面視で、左右方向中央が前方に向けて膨らむように湾曲しているとともに、図３に示すように右側面視で、左右方向中央が前方に向けて膨らむように湾曲した形となっている。つまり、この反射鏡１１は、中央部に頂部を有し、且つ、前方に向けて膨らむ凸面鏡となっている。
【００１５】
ここで、この実施形態の撮影装置１０で、反射鏡１１として凸面鏡を用いた理由を述べれば次の通りである。
この実施形態の撮影装置１０では、図１及び図４に示すように、反射鏡１１の頂部の後側に撮影レンズ１２が配置されている。
この場合、反射鏡１１の画角と撮影レンズ１２の画角とを近付ければ、反射鏡１１に映し出された画像に近い画角で被写体の撮影が可能となる。したがって、撮影者にとっては、反射鏡１１の画角と撮影レンズ１２の画角とを近付けることにより、撮影画像を事前に予測できるので便利である。
しかし、反射鏡１１の画角と撮影レンズ１２の画角とを近付ける場合、反射鏡１１が平面鏡であると、比較的大きな反射鏡１１が必要とされる。
これに対して、反射鏡１１を凸面鏡とすれば、前面視で同じ大きさの平面鏡の場合と比べて画角を大きくすることができる。
このことは、比較的小さな反射鏡１１で反射鏡１１の画角と撮影レンズ１２の画角とを近付けることが可能となり、反射鏡１１ひいては撮影装置１０の小型化に適したものとなることを意味している。
このような理由から、実施形態の撮影装置１０では、反射鏡１１を凸面鏡とし、反射鏡１１ひいては撮影装置１０の小型化を実現している。
なお、このような効果を考慮しないならば、反射鏡１１を平面鏡とすることができることは勿論である。
【００１６】
続いて、反射鏡１１を前面視で樽状に形成した理由を述べれば次の通りである。
反射鏡１１が平面鏡である場合、撮影者自身の画像がそのままの形で平面鏡に映し出される。したがって、反射鏡１１が平面鏡である場合に、所望の視野率を得ようとすれば、図５に示すように、平面鏡自体を前面視で撮影画像の形状（長方形Ｐ１で示される形状）と相似形である形状（長方形Ｍ１で示される形状）とすれば足りる。ここで、「視野率」とは、自分撮りする際に所定の距離で撮影レンズ１２の光軸上に目を合わせた際に、撮影レンズ１２の画角に対して反射鏡１１に映せる範囲の割合を言う。
これに対して、反射鏡１１が凸面鏡の場合、撮影者自身の画像を凸面鏡に映し出すと、画像が歪む。換言すれば、撮影画像に対して所望の視野率となる範囲の長方形の画像を凸面鏡に映し出すと、図６に示すように、撮影画像の形状（長方形Ｐ１で示される形状）とは異なり、前面視でその長方形の画像は樽状に膨らんだ形状Ｍ２となる。
この場合、図７に示すように、凸面鏡が前面視で小さい長方形Ｈ１となっていると、凸面鏡から撮影者自身の画像の歪みの部分がはみ出てしまい、撮影画像には入るが撮影者自身の画像の一部が凸面鏡に映らないという問題を生じる。一方で、撮影者自身の画像の全てが映るように前面視で大きな長方形Ｈ２となっていると、凸面鏡が必要以上に大型化するとともに、所望の視野率を超える部分が局所的に鏡像として映し出されてしまうという問題がある。
そこで、実施形態の撮影装置１０では、所望の視野率となる範囲の長方形の画像を反射鏡１１に映し出したとした場合の当該長方形の画像の歪みまでを考慮し、反射鏡１１を、前面視でその画像の歪みに対応した形状（樽状）Ｍ２としている。このようにすれば、撮影画像に対して所望の視野率となる範囲の長方形の画像を過不足無く凸面鏡に映し出すことができる。
【００１７】
この反射鏡１１は、図４に示すように、後側に位置する筐体１３によって支持されている。具体的には、撮影装置１０の筐体１３は前側筐体１３ａと後側筐体１３ｂと化粧パネル１３ｃとを備えており、このうち前側筐体１３ａによって反射鏡１１は支持されている。例えば、前側筐体１３ａの表面に反射鏡１１の裏面が貼り付けられている。そのため、反射鏡１１の後面に対向する前側筐体１３ａの前面も当該反射鏡１１の裏面に対応して前方に向けて膨らむ凸面となっている。
この反射鏡１１を支持する前側筐体１３ａの中央部には円形の孔１３０ｃが形成されている。そして、反射鏡１１の後側の筐体１３内には、上記孔１３０ｃに対応する領域に撮影レンズ１２が配置されている。撮影レンズ１２の光軸は反射鏡１１の頂点を通っている。この結果、反射鏡１１に映った像と撮影される画像の構図とを近付けることが可能となる。この撮影レンズ１２としては、各種収差等をなくすため、何枚かの単レンズを互いに光軸を一致させて配置した複合レンズが使用されることが好ましい。
【００１８】
実施形態の撮影装置１０では、反射鏡１１は、撮影レンズ１２の前方に設けられているため、被写体を映し出す機能と、被写体からの光を撮影レンズ１２に透過させる機能とを有する必要がある。そこで、反射鏡１１としては、特に限定はされないが、全体がハーフミラーとなっているもの、又は、全反射ミラーの一部だけがハーフミラーとなっているものを使用することが好ましい。なお、本明細書において、「ハーフミラー」とは、光の透過率と反射率とが等しいものだけを意味するものではなく、光の透過と反射とが所定の比率でなされ、被写体を映し出す機能と、被写体からの光を透過させる機能とを有するものを意味している。
【００１９】
この反射鏡１１として、全体がハーフミラーとなっているものでは、被写体からの光が反射鏡１１によって一部反射されるので、その反射光によって、被写体の画像を確認することができる。また、反射鏡１１として、全体がハーフミラーとなっているものでは、被写体からの光が反射鏡１１によって一部透過されるので、その透過光によって、撮影レンズ１２を介しての撮影が可能となる。
図８にはこの反射鏡１１の構成の一例の断面図が示されている。
この反射鏡１１は、例えばガラス又は合成樹脂の透明基板１１ａの全面にＵＶハードコート層１１ｂが形成され、透明基板１１ａの裏側にＵＶハードコート層１１ｂの上からハーフミラー層１１ｃが蒸着され、さらにハーフミラー層１１ｃの上に光の吸収層１１ｄが蒸着により形成されたものである。この場合のハーフミラー層１１ｃ及び光の吸収層１１ｄは、特に限定はされないが、それぞれ多層となっている。
この構成によって、反射鏡１１を、撮影レンズ１２側の面である裏面の反射率が、当該裏面とは反対の面である表面の反射率より小さいハーフミラーとすることができる。そして、この反射鏡１１によれば、内部反射した光がハーフミラー層１１ｂで反射して内部に戻るまでに２回、光の吸収層１１ｃを通るので、反射鏡１１と撮影レンズ１２との間での内部反射を減らしてゴーストの発生を軽減させることができる。例えば、表面反射率を４０％、裏面反射率を２％以下にすることができる。
なお、反射鏡１１と撮影レンズ１２との間での内部反射を減らしてゴーストの発生を軽減させる構成は、この方法に限定されない。
【００２０】
一方、反射鏡１１として、全反射ミラーの一部がハーフミラーとなっているものでは、少なくとも撮影レンズ１２の前方がハーフミラーとなっていることが必要である。このような反射鏡１１を使用すれば、ハーフミラー以外の部分では、被写体からの光が全反射されるので、反射像が鮮明となって見やすくなるという利点がある。実施形態の撮影装置１０の反射鏡１１としては、特に限定はされないが、全反射ミラーの一部がハーフミラー（透光部１１ａ）となっているものが使用されている。なお、ここでは、反射鏡１１として、全反射ミラーの一部がハーフミラーとなっているものを紹介したが、全反射ミラーの一部がハーフミラーに代えて素通しの透光部（孔を含む）となっているものでもよい。ただし、この素通しの透光部では、被写体からの光は反射されないため、反射鏡１１に映す被写体の画像がその素通し部分で欠損することに留意する必要がある。
この場合でも、反射鏡１１のうち少なくともハーフミラーとなっている部分の裏面に、上述のような光の吸収膜１１ｄを形成して、反射鏡１１を、撮影レンズ１２側の面である裏面の反射率が、当該裏面とは反対の面である表面の反射率より小さいハーフミラーとすることができる。
【００２１】
なお、反射鏡１１の全体を凸面鏡にすることで撮影画像が歪むのを可及的に防止するのであれば、撮影レンズ１２の前方に位置する反射鏡１１の頂部を撮影レンズ１２の光軸に直交する平面としてもよいし、上述のように頂部に孔を形成してもよい。また、撮影レンズ１２の中に補正レンズを入れたり、画像処理によって歪みを補正してもよい。
【００２２】
。
また、筐体１３内には、図４に示すように、撮影レンズ１２の後側に固体撮像素子１５が配置されている。この固体撮像素子１５は光電変換素子であり、この固体撮像素子１５としては、例えば、ＣＣＤ（Charged Coupled Device）、ＣＭＯＳ（Complementary Metal Oxide Semiconductor）等が用いられる。この固体撮像素子１５は上記撮影レンズ１２とともに撮影手段を構成している。
なお、実施形態では、ディジタル撮影のための撮影装置１０について説明したが、実施形態は、銀塩フィルムを用いた撮影装置にも適用できることは勿論である。この場合、銀塩フィルムは撮影レンズとともに撮影手段を構成している。
【００２３】
また、筐体１３内には、撮影装置１０の電源となる電池１６が配置されている。この電池１６としては、例えば、リチウム電池が用いられる。なお、リチウム電池の代わりに、乾電池その他の電池を用いるものであってもよい。
【００２４】
また、後側筐体１３ｂにはディスプレイ１７が設けられている。このディスプレイ１７としては、例えば、ＬＣＤ（液晶ディスプレイ；Liquid Crystal Display）、有機ＥＬ（Electro-Luminescence）ディスプレイが設けられる。
このディスプレイ１７は風景写真等の通常の写真撮影をする場合に撮影前画像をモニターしたり、撮影後画像をモニターしたりする際などに使用される。
さらに、撮影装置１０の背面にはメニューキー、カーソルキー及び決定キー等の背面操作キー１８が設けられている。図４には、そのうちの１つの背面操作キー１８だけが示されている。
また、図２に示すように、撮影装置１０の上面にはシャッターキー１９及び電源キー２０が設けられ、下面には電池蓋を開閉するための摘み２１（図１参照）が設けられている。この摘み２１を操作することで電池を取り出し、電池の交換や電池の充電などを行うことが可能となっている。
なお、撮影装置１０には、反射鏡１１の外方にストロボ等の発光部２２（図１参照）、筐体１３内部に回路基板２３（図４参照）を備えている。
【００２５】
次に、本実施形態の筐体突起部１３０ａ，１３０ａについて説明する。
本実施形態の筐体突起部１３０ａ，１３０ａは前側筐体１３ａと一体的に形成されている。この筐体突起部１３０ａ，１３０ａは前側筐体１３ａの前面の上下端に形成され、前側筐体１３ａの前面の左右方向全域（反射鏡１１の長手方向）に亘って延在している。この筐体突起部１３０ａ，１３０ａは、上面視又は下面視で、反射鏡１１の前面（表面）よりも前方に向けて突出するように、左右方向中央が前方に膨らむ弧状となっている。そして、筐体突起部１３０ａ，１３０ａは、筐体１３外部の仮想無限平面が筐体突起部１３０ａ，１３０ａの少なくとも２点に接する際に、反射鏡１１の表面と仮想無限平面の間に隙間が空くように突出している（図９及び図１０参照）
【００２６】
このように本実施形態の撮影装置１０では、筐体突起部１３０ａ，１３０ａは前側筐体１３ａと一体成形された形で形成されていているが、前側筐体１３ａとは当初は別体で前側筐体１３ａに後付けされるものであってもよい。
この場合、筐体突起部１３０ａ，１３０ａは撮影装置１０の筐体１３と同じ材質（例えば合成ゴム、合成樹脂又は金属）から形成されていてもよいし、異なる材質で形成されていてもよい。例えば、筐体１３は合成樹脂製又は金属製で、筐体突起部１３０ａ，１３０ａはエラストマーやシリコンゴム等の弾性材で形成されていてもよい。このように筐体突起部１３０ａ，１３０ａが弾性材で構成されている場合には、撮影装置１０を誤ってテーブル等に落としたときでも、弾性材が衝撃を吸収し、反射鏡１１その他の部品の破損を防止することが可能となる。
【００２７】
続いて、筐体突起部１３０ａ，１３０ａの個数、突出量及び形成範囲について説明する。
この筐体突起部１３０ａ，１３０ａの個数、突出量及び形成範囲は、撮影装置１０の反射鏡１１が形成された面側が仮想無限平面に当接したとした場合、いかなる態様で当接したとしても反射鏡１１の表面が仮想無限平面に当接することがないように決定されている。この場合の「仮想無限平面」はテーブル面等の平らな面を想定したものである。
実施形態の撮影装置１０の場合には、撮影装置１０の反射鏡１１が形成された面側が例えばテーブル面に接地する場合として、図９に示すように撮影装置１０の左右中央が接地する態様と、図１０に示すように撮影装置１０の左右方向一端側が接地する態様とが考えられる。実施形態の筐体突起部１３０ａ，１３０ａの個数、突出量及び形成範囲は、いずれの態様においても、筐体突起部１３０ａ，１３０ａだけがテーブル面に接地するように決定されている。
【００２８】
このように、実施形態の撮影装置１０は、撮影装置１０の反射鏡１１が形成された面側が例えばテーブル面に接地する場合、筐体突起部１３０ａ，１３０ａ以外の部分は接地しない構造となっている。しかし、筐体突起部１３０ａ，１３０ａの形成範囲を左右方向で短くし、撮影装置１０の左右方向一端側が接地する場合、筐体突起部１３０ａ，１３０ａと筐体１３の一部とが同時に接地して反射鏡１１の表面の接地を阻止するように構成されていてもよい。
【００２９】
また、実施形態の撮影装置１０においては、筐体突起部１３０ａ，１３０ａは反射鏡１１の長手方向に沿って連続的に形成されているが、反射鏡１１の短手方向に沿って連続的に形成されていてもよい。なお、筐体突起部１３０ａ，１３０ａは反射鏡１１の長手方向及び短手方向の双方に沿って連続的に形成されていてもよい。
ここで、反射鏡１１が長辺及び短辺を有する凸面鏡で、筐体突起部１３０ａ，１３０ａを反射鏡１１の長手方向及び短手方向の一方に沿って形成する場合、反射鏡１１の短手方向に沿ってではなく、反射鏡１１の長手方向に沿って形成することが好ましい。反射鏡１１の中央の頂点を基準とした場合、反射鏡１１の短手方向端部の撓み量は、反射鏡１１の長手方向端部の撓み量に比べて小さいので、ハーフミラーの短手方向外方となる位置に筐体突起部１３０ａ，１３０ａを設ければ、筐体突起部１３０ａ，１３０ａの反射鏡１１のミラー面からの突出量を小さくすることができるからである。
【００３０】
また、実施形態の撮影装置１０においては、筐体突起部１３０ａ，１３０ａは反射鏡１１の長辺（長手方向）に沿って連続的に形成されているが、所定の間隔で複数形成されていてもよい。必要なのは、撮影装置１０の反射鏡１１が形成された面側が仮想無限平面に当接したとした場合、いかなる態様で当接したとしても反射鏡１１の表面が仮想無限平面に当接しないように決定されていることである。
【００３１】
［作用及び効果］
このように構成された撮影装置１０によれば次のような作用及び効果が得られる。
すなわち、反射鏡１１を前面視で樽状としているので、所望の視野率となる範囲の画像を過不足無く反射鏡１１に映し出すことができる。その結果、撮影者は、どの範囲の撮影が可能なのかを事前に的確に判断することができる。
【００３２】
以上、本発明の実施形態について説明したが、本発明は、かかる実施形態に限定されず、その要旨を逸脱しない範囲で種々の変形が可能であることはいうまでもない。
例えば、上記実施形態の撮影装置１０では、筐体突起部１３０ａ，１３０ａが形成されているものを説明したが、筐体突起部１３０ａ，１３０ａがないものにも適用できる。
【００３３】
以下に、この出願の願書に最初に添付した特許請求の範囲に記載した発明を付記する。
付記に記載した請求項の項番は、この出願の願書に最初に添付した特許請求の範囲の通りである。
【００３４】
［付記］
〈請求項１〉
被写体を撮影する撮影レンズを含む撮影手段と、
前記撮影レンズの入射側に配置され、前記被写体からの入射光を反射する反射鏡と、を備えた撮影装置であって、
前記反射鏡は、上下左右の四辺から構成される凸面鏡であって、当該凸面鏡の上下の二辺と左右の二辺は、当該凸面鏡に写る前記被写体の鏡像の歪に対応する曲線で構成されていることを特徴とする撮影装置。
〈請求項２〉
前記反射鏡は、上下左右の四辺から構成される凸面鏡であって、当該凸面鏡の上下の二辺と左右の二辺は、当該凸面鏡に写る前記被写体の鏡像の歪と相似な曲線で構成されていることを特徴とする請求項１に記載の撮影装置。
〈請求項３〉
前記反射鏡は、前記撮影レンズの前面に配置され、前記被写体からの入射光を前記撮影レンズに透過させる透光部を有することを特徴とする請求項１又は２に記載の撮影装置。
〈請求項４〉
前記透光部は、所定の透過率と反射率を有するハーフミラーであることを特徴とする請求項３に記載の撮影装置。
〈請求項５〉
前記反射鏡は、所定の透過率と反射率を有するハーフミラーであることを特徴とする請求項３又は４に記載の撮影装置。
〈請求項６〉
前記反射鏡は、前記撮影レンズ側の面である裏面の反射率が、当該裏面とは反対の面である表面の反射率より小さいハーフミラーであることを特徴とする請求項５に記載の撮影装置。
【符号の説明】
【００３５】
１０      撮影装置
１１      反射鏡
１２      撮影レンズ
１３      筐体
１３０ａ      筐体突起部
【図１】
2016038494.tif 000003
【図２】
2016038494.tif 000004
【図３】
2016038494.tif 000005
【図４】
2016038494.tif 000006
【図５】
2016038494.tif 000007
【図６】
2016038494.tif 000008
【図７】
2016038494.tif 000009
【図８】
2016038494.tif 000010
【図９】
2016038494.tif 000011
【図１０】
2016038494.tif 000012